(57)【特許請求の範囲】
【請求項１】
一方の側が咬合子取り付け部とされ、他方の側縁部が縫い代部とされたファスナーテープの前面に、縁部に一条の膨大部が形成された覆いテープが設けられていること、この一条の膨大部は内部に複数本の芯糸で芯紐を構成して断面を略円形とし、装飾が施された袋織部で形成されていると共に、この一条の膨大部でファスナーテープに取り付けたスライドファスナーの咬合子の表面を全長に亘って覆い隠すことができること、前記覆いテープの基端部は縫い代部から分岐し、ファスナーテープと膨大部を含む覆いテープが一枚のテープで製織又は製編されていることを特徴とするスライドファスナー用テープ。
【請求項２】
膨大部が複数並列して設けられていることを特徴とする請求項１記載のスライドファスナー用テープ。
【請求項３】
一方の側を咬合子取り付け部とし、他方の側縁部に咬合子を覆う膨大部を形成した一枚のテープを、略中央部で二つ折りし、この二つ折りした端部を縫い代部としたことを特徴とする請求項１記載のスライドファスナー用テープ。
【発明の詳細な説明】
【０００１】
【発明の属する技術分野】
本発明は、ファスナーテープに取り付けられたスライドファスナーが前面から見えないように隠すことができ、かつ装飾性を備えたスライドファスナー用テープに関するものである。
【０００２】
【従来の技術】
従来、一側縁に袋織部を形成し、この袋織部内に芯糸を挿通した芯紐部を形成したスライドファスナー用テープとして、特開平７−７９８１５号のものが提案されている。これは、咬合子の装着を容易にするための芯紐部であり、咬合子を隠すためのものではない。
このように、従来は咬合子が前面から見えないように隠す機能を有するスライドファスナー用テープは全く存在せず、それゆえ、被服の前立部等の開閉部の縁部に縫着するとスライドファスナーが正面から見え、外観が見苦しくなる問題点を有していた。
【０００３】
このため、スライドファスナー用テープに装飾を施したものも知られているが、これもスライドファスナーを隠すものではない。
そこで、被服にスライドファスナーを取り付ける時は、被服の生地でスライドファスナーを覆って隠すように縫製しなければならず、被服の仕立てが非常に面倒であった。
【０００４】
しかし、被服の生地で覆った場合、生地が比較的薄くて平坦であると、スライダーの摺動時に被服の生地がスライダーに接触すると、スライダーに挾み込まれてしまう事態も発生する。
【０００５】
【発明が解決しようとする課題】
上記点より本発明は、ファスナーテープに取り付けた咬合子が前面から見えないように隠され、かつ装飾性を備えたスライドファスナー用テープを提供しようとするものである。
【０００６】
【課題を解決するための手段】
上記課題を解決するため請求項１記載の本発明のスライドファスナー用テープは、一方の側が咬合子取り付け部とされ、他方の側縁部が縫い代部とされたファスナーテープの前面に、縁部に一条の膨大部が形成された覆いテープが設けられていること、この一条の膨大部は内部に複数本の芯糸で芯紐を構成して断面を略円形とし、装飾が施された袋織部で形成されていると共に、この一条の膨大部でファスナーテープに取り付けたスライドファスナーの咬合子の表面を全長に亘って覆い隠すことができること、前記覆いテープの基端部は縫い代部から分岐し、ファスナーテープと膨大部を含む覆いテープが一枚のテープで製織又は製編されていることを特徴とするものである。
【０００７】
このような構成とすることにより、ファスナーテープの前面に設けた覆いテープの膨大部で、ファスナーテープの咬合子取り付け部に取り付けられた咬合子を全長に亘って覆うため、咬合子はファスナー用テープの前面から隠され見えなくなる。
そして、膨大部は装飾が施されていることにより、膨大部に平坦部と異なる文字、図形、模様等を施し、美麗な装飾を施した膨大部が形成され、ファッション性が高まる。
【０００８】
膨大部は袋織部に形成され、この袋織部内に複数本の芯糸が挿通されて芯紐が形成されることにより、芯紐は柔軟性を具備できるので、覆いテープ全体としての柔軟性が損なわれることがないと共に、柔軟性を有するため咬合子の装着がし易くなる。
【０００９】
また、膨大部を断面略円形とすることで、スライドファスナーのスライダーが摺動時に接触しても膨大部は挾み込まれることがなく、触っても当たりが軟らかい。
【００１０】
また、覆いテープの基端部は縫い代部から分岐し、ファスナーテープと覆いテープが一枚のテープで製織又は製編されているから、機械で同時に一体に製織又は製編することが可能で、スライドファスナー用テープを品質が一定で効率的に大量生産でき、装飾模様も同時に容易に施せるものとなる。
【００１１】
次に、請求項２記載のスライドファスナー用テープは、請求項１記載の発明において、膨大部は複数並列されていることを特徴とするものである。
【００１２】
このような構成とすることにより、覆いテープの外観に立体的に変化をつけることができ、ファッション性が高まる。
【００１３】
次に、請求項３記載のスライドファスナー用テープは、請求項１記載の発明において、一方の側を咬合子取り付け部とし、他方の側縁部に咬合子を覆う膨大部を形成した一枚のテープを、略中央部で二つ折りし、この二つ折りした端部を縫い代部としたことを特徴とするものである。
【００１４】
このような構成とすることで、ファスナーテープと覆いテープを一枚の織編みものとして生成でき、略中央部で折り曲げて縫い代部で逢着すれば簡単容易に製造することができるのである。
【００１５】
【発明の実施の形態】
以下、本発明の一実施の形態を図面に基づき説明する。
本発明スライドファスナー用テープは、図１及び図２に示すようにファスナーテープ１と、このファスナーテープ１の前面に設けた覆いテープ２から構成されている。
【００１６】
ファスナーテープ１は一方の側縁側が咬合子取り付け部３とされ、他方の側縁側が製品への縫い代部４とされている。
又、ファスナーテープ１は平織で、咬合子取り付け部３は平織組織より少し厚めに形成されている。
このファスナーテープ１の構成は、従来の構成であれば何ら限定されるものではない。
【００１７】
次に、覆いテープ２は縁部にファスナーテープ１の咬合子取り付け部３に取り付けられた咬合子５の前面を覆う一条の膨大部６が全長に亘って設けられている。
膨大部６は、図２に示すように袋織部７に織成又は編成し、この袋織部７の内部に複数本の芯糸８が挿通されて芯紐９が形成されている。膨大部６は断面が略円形に形成されている。
又、膨大部６は芯糸が互いに絡み合って拘束された形態の芯紐をテープの縁部に織り込み、又は編み込みによって形成する。
【００１８】
又、覆いテープ２はポリエステル繊維糸或いは混紡糸等で織成又は編成され、袋織部７を除いた部分は平坦な平織部１０となっている。又芯糸８もポリエステル繊維糸或いは混紡糸等を使用する。
【００１９】
次に、図３は膨大部６が端部に２個並列された場合を示したものであり、膨大部６の数は何ら限定されるものではない。
そして、膨大部６は図１乃至図６のように、袋織部７を平織部１０と異なる色彩の染色糸を使用して彩色を施すことが容易である。
また、図３のように袋織部７に文字、図形、模様等を施した美麗な装飾部１２とすることで、ファッション性を高めることができる。
勿論、覆いテープ２全体に装飾を施すこともできる。
【００２０】
次に、図４はファスナーテープ１の縫い代部４と覆いテープ２の基端部１３が一体に構成されている組織を示している。
その製織方法は、二方向に同時に製織できる織機で、覆いテープ２の面には平織部１０の縁部に袋織部７を作成し、同時にファスナーテープ１の面には平坦な平織組織の縁部に平織組織より少し厚めの組織の咬合子取り付け部３を作成し、この時縫い代部４の平織組織と覆いテープ２の基端部１３と一枚になるような組織で縫い代部を作成し、これにより端の方は二枚に分かれる組織で夫々を製織する。
【００２１】
次に、図６は一枚の平織組織の片側の端部に袋織部７と反対側の端部に咬合子取り付け部３を作成し、略中央部に折り曲げ部１４を設け、折り曲げ部１４で二つ折りし、ミシンにより縫糸１５で縫い合わせ、縫い代部４を作成する。
以上、本発明を実施形態に基づき具体的に説明したが、本発明は上記実施形態に限定されるものではない。
【００２２】
【発明の効果】
以上説明したように、本発明に係るスライドファスナー用テープによれば、ファスナーテープの前面に設けた覆いテープの膨大部で、ファスナーテープの咬合子取り付け部に取り付けられた咬合子を全長に亘って覆うため、ファスナー用テープの前面から咬合子は隠されて見えなくなり、膨大部に染色糸により文字、図形、模様等の装飾を施してあることでファッション性を高め、被服等に装着するとワンポイントとしての効果を有すると共に、被服の外観が咬合子の露出により見苦しくなることを防止する効果も有する。
【００２３】
そして、被服の生地でスライドファスナーを覆って隠す必要もないので、被服の仕立てが容易となり、膨大部が袋織部に形成されているため、芯紐は柔軟性を具備できるので、覆いテープ全体としての柔軟性が損なわれず、咬合子の装着がし易くなる効果も有する。
【００２４】
また、膨大部を複数並列することにより、覆いテープの外観に立体的に変化をつけることができる効果を発揮する。
【００２５】
覆いテープの基端部は縫い代部から分岐し、ファスナーテープと覆いテープが一枚のテープで製織又は製編されることや、一方の側を咬合子取り付け部とし、他方の側縁部に咬合子を覆う膨大部を形成した一枚のテープを、略中央部で二つ折りし、この二つ折りした端部を縫い代部とし、スライドファスナー用テープ全体が一枚のテープで製織又は製編されるため、機械で同時に一体に製織又は製編することが可能となり、スライドファスナー用テープを品質が一定で効率的に大量生産でき、製作と同時に装飾模様も容易に施せるものとなる格別の効果を有する。
【００２６】
尚、スライドファスナーは一条の膨大部で覆われ、膨大部の断面を略円形としたことで、スライダーが摺動時に膨大部に接触しても薄い平坦な生地と異なり、挾み込まれる虞はない。
【図面の簡単な説明】
【図１】  本発明の使用状態の一実施の形態を示す一部省略した正面図である。
【図２】  図１の拡大部分斜視図である。
【図３】  本発明の使用状態の他の実施の形態を示す部分斜視図である。
【図４】  本発明の一実施の形態を示す構成図である。
【図５】  本発明の使用状態を示す部分斜視図である。
【図６】  本発明の使用状態を示す部分斜視図である。
【符号の説明】
１                ファスナーテープ
２                覆いテープ
３                咬合子取り付け部
４                縫い代部
５                咬合子
６                膨大部
７                袋織部
８                芯糸
９                芯紐
１０              平織部
１２              装飾部
１４              折り曲げ部
【図１】
0004342841.tif 000002
【図２】
0004342841.tif 000003
【図３】
0004342841.tif 000004
【図４】
0004342841.tif 000005
【図５】
0004342841.tif 000006
【図６】
0004342841.tif 000007